(57)【要約】【課題】ディスク情報領域から情報を再生する時間を短縮する。【解決手段】本発明の情報記録媒体は、複数の記録層と、複数の記録層へのアクセスに関するパラメータおよび複数の記録層に関するフォーマットが格納されたディスク情報領域とを備え、ディスク情報領域は、複数の記録層のうちの１つである第１の記録層に配置されている。さらに本発明は、複数の記録層へのアクセスに関するパラメータおよび複数の記録層に関するフォーマットが格納されたディスク情報領域を備えた情報記録媒体に情報を記録するための記録装置と、情報記録媒体から情報を再生するための再生装置とを提供する。【選択図】図１
2006059528.tif 000002
【特許請求の範囲】
【請求項１】
ディスク情報が格納されたディスク情報領域を含む第１の領域と、ユーザデータを記録するためのデータ領域を含む第２の領域とを有し、
前記第１の領域における第１のトラックピッチと第２の領域における第２のトラックピッチとが異なり、
前記第１の領域における第１のトラックと前記第２の領域における第２のトラックとは連続している、情報記録媒体。
【請求項２】
複数の記録層を有する媒体であって、
前記複数の記録層のうちの１つである記録層は、前記第１の領域と前記第２の領域とを有し、
前記ディスク情報は、前記複数の記録層に関するディスク情報である、請求項１に記載の情報記録媒体。
【請求項３】
第１のトラックピッチは、第２のトラックピッチよりも広い、請求項１に記載の情報記録媒体。
【請求項４】
第１の領域は再生専用領域であり、第２の領域は記録可能な領域である、請求項１に記載の情報記録媒体。
【請求項５】
請求項１に記載の情報記録媒体に対して、情報の再生又は記録を行う情報処理装置。
【請求項６】
請求項１に記載の情報記録媒体に対して、情報の再生又は記録を行うためのステップを有する情報処理方法。
【請求項７】
請求項１に記載の情報記録媒体に対して、情報の再生又は記録を行うためのステップを有する情報処理プログラム。
【請求項８】
情報記録媒体に情報の再生／記録の少なくともいずれかの制御を行う制御装置であって、
前記情報記録媒体は、ディスク情報が格納されたディスク情報領域を含む第１の領域と、ユーザデータを記録するためのデータ領域を含む第２の領域とを有し、前記第１の領域における第１のトラックピッチと第２の領域における第２のトラックピッチとが異なり、前記第１の領域における第１のトラックと前記第２の領域における第２のトラックとは連続しており、
前記制御装置は、前記情報記録媒体から／に前記情報を光学的に再生／記録することが可能な光ヘッド部に対して再生／記録処理の実行を制御する制御部を備え、
前記制御には、
前記ディスク情報の再生を前記光ヘッド部に指示するステップと、
前記再生されたディスク情報を取得するステップと、
前記取得されたディスク情報に基づいて、前記情報記録媒体に前記情報の再生／記録を前記光ヘッド部に指示するステップと、が含まれる再生／記録制御装置。
【発明の詳細な説明】
【技術分野】
【０００１】
本発明は、少なくとも２層以上の記録層を備えた情報記録媒体、記録装置、再生装置、記録方法、再生方法に関する。
【背景技術】
【０００２】
近年、大量の情報の記録再生が可能なさまざまな情報記録媒体が開発されており、その中の一つに光ディスクがある。大容量の光ディスクの一つとして、２枚の光ディスクを張り合わせ、両面に対して記録再生できる両面光ディスクがある。しかしながら、ランダムアクセスを頻繁に要求する分野、例えばコンピュータ用記録媒体、ゲーム用記録媒体としては、光ディスクの記録容量が大きいことと同時に、裏返すことなく任意のデータにアクセスできることが望まれる。
【０００３】
そこで１枚の光ディスクに大容量のデータを記録し、かつランダムアクセス可能な光ディスクとして、２層以上の記録層を備え、ディスクの片側の面から情報の再生が可能な多層光ディスクが考えられる。図７に片面に２層の記録層を備える光ディスク７００の構成を示す。
【０００４】
光ディスク７００は、第１の記録層７０４と、第１の基板７０５と、接着樹脂７０３と、第２の基板７０１と、第２の記録層７０２とを備える。各基板にはクランプ穴７０６が形成されている。第２の記録層７０２は、ディスク情報領域７０７と、データ領域７１０とを備える。第１の記録層７０４は、ディスク情報領域７１１と、データ領域７１４とを備える。
【０００５】
第１の基板７０５、第２の基板７０１は、ポリカーボネート樹脂等で形成し、第１の記録層７０４および第２の記録層７０２を保護する。再生専用領域であるディスク情報領域７０７には、第２の記録層７０２に照射するレーザ光のパワーを示す情報等が記録されている。再生専用領域であるディスク情報領域７１１には、第１の記録層７０４に照射するレーザ光のパワーを示す情報等が記録されている。
【発明の開示】
【発明が解決しようとする課題】
【０００６】
光ディスク７００では、例えば第１の記録層の再生後に、続けて第２の記録層の再生を行う際に、第１の記録層７０４に照射するレーザ光のパワーを示す情報を入手するためのディスク情報領域７１１の再生、データ領域７１４の再生、第２の記録層７０２に照射するレーザ光のパワーを示す情報を入手するためのディスク情報領域７０７の再生、データ領域７１０の再生という順の再生ステップが必要となる。もしくは、ディスク情報領域７１１の再生、ディスク情報領域７０７の再生、データ領域７１４の再生、データ領域７１０の再生という順の再生ステップを踏む必要がある。このように光ディスク７００では、２つのディスク情報領域から情報を再生する必要があるため、レーザ光のパワーを示す情報のような光ディスク７００のパラメータおよびフォーマットの再生ための所要時間が非常に長くなるという問題が生じる。
【０００７】
本発明は上記問題点に鑑み、ディスク情報領域を再生する時間を短縮することを目的とする。
【課題を解決するための手段】
【０００８】
本発明の情報記録媒体は、複数の記録層と、上記複数の記録層へのアクセスに関するパ
ラメータおよび上記複数の記録層に関するフォーマットが格納されたディスク情報領域とを備え、上記ディスク情報領域は、上記複数の記録層のうちの１つである第１の記録層に配置されており、そのことにより上記目的が達成される。
【０００９】
上記第１の記録層にはアドレスが割り当てられており、上記パラメータは、上記第１の記録層に照射するレーザ光のパワーの値を示す第１の照射パワー情報と、上記複数の記録層のうちの他の記録層に照射するレーザ光のパワーの値を示す第２の照射パワー情報とを含み、上記ディスク情報領域のうちの上記第１の照射パワー情報が格納された領域に割り当てられているアドレスは、上記ディスク情報領域のうちの上記第２の照射パワー情報が格納された領域に割り当てられているアドレスよりも小さくてもよい。
【００１０】
上記ディスク情報領域と同じ情報を格納するさらなるディスク情報領域をさらに備え、上記さらなるディスク情報領域は、上記複数の記録層のうちの他の１つである第２の記録層に配置されていてもよい。
【００１１】
上記第１の記録層は、上記複数の記録層のうち基準層として予め決められた記録層であってもよい。
【００１２】
上記複数の記録層は情報の書き込みが可能な記録層であり、上記情報記録媒体は、レーザ光の記録パワーを調整するための複数の調整領域をさらに備え、上記複数の記録層のそれぞれは、上記複数の調整領域のうち対応する１つを備えてもよい。
【００１３】
上記複数の記録層のうちの１つである第２の記録層はバッファ領域を備え、上記バッファ領域は、上記複数の調整領域のうちの上記第２の記録層が備える調整領域に隣接して配置されてもよい。
【００１４】
上記複数の調整領域のそれぞれは、上記情報記録媒体の異なる半径位置に配置されてもよい。
【００１５】
上記情報記録媒体は追記型情報記録媒体であってもよい。
【００１６】
上記第１の記録層にはアドレスが割り当てられており、上記パラメータは、上記第１の記録層へのアクセスに関する第１パラメータと、上記複数の記録層のうちの他の記録層へのアクセスに関する第２パラメータとを含み、上記ディスク情報領域のうちの上記第１パラメータが格納された領域に割り当てられているアドレスは、上記ディスク情報領域のうちの上記第２パラメータが格納された領域に割り当てられているアドレスよりも小さくてもよい。
【００１７】
上記第１の記録層にはアドレスが割り当てられており、上記フォーマットは、上記第１の記録層に関する第１フォーマットと、上記複数の記録層のうちの他の記録層に関する第２フォーマットとを含み、上記ディスク情報領域のうちの上記第１フォーマットが格納された領域に割り当てられているアドレスは、上記ディスク情報領域のうちの上記第２フォーマットが格納された領域に割り当てられているアドレスよりも小さくてもよい。
【００１８】
上記複数の記録層に形成されたユーザデータを記録するためのデータ領域をさらに備え、上記複数の記録層には溝が形成されており、上記複数の記録層のうちの１つである第２の記録層は、上記第２の記録層の一部である上記ディスク情報領域と同じ半径位置の領域と、上記第２の記録層の他の一部である上記データ領域の一部が配置された領域とを備え、上記ディスク情報領域と同じ半径位置の領域に形成された溝の形状の形式と、上記データ領域の一部が配置された領域に形成された溝の形状の形式とが同じであってもよい。
【００１９】
上記複数の記録層の少なくとも一部には溝が形成されており、上記複数の記録層のうちの１つである第２の記録層は、上記第２の記録層の一部である上記ディスク情報領域と同じ半径位置の領域に溝を有さなくてもよい。
【００２０】
上記複数の記録層には溝が形成されており、上記複数の記録層のうちの１つである第２の記録層が有する溝の形状の形式は一定であってもよい。
【００２１】
上記第１の記録層には溝が形成されており、上記ディスク情報領域の溝の形状の形式と、上記第１の記録層の一部である上記ディスク情報領域と隣接する領域の溝の形状の形式とが異なってもよい。
【００２２】
上記第１の記録層には溝が形成されており、上記ディスク情報領域の溝と、上記第１の記録層の一部である上記ディスク情報領域と隣接する領域の溝とは連続していてもよい。
【００２３】
上記パラメータおよび上記フォーマットは、上記第１の記録層に関する第１のパラメータおよび第１のフォーマットを含み、上記パラメータおよび上記フォーマットは、上記複数の記録層のうちの他の１つである第２の記録層に関する第２のパラメータおよび第２のフォーマットを含み、上記ディスク情報領域のうちの上記第１のパラメータおよび上記第１のフォーマットが格納された領域の長さと、上記ディスク情報領域のうちの上記第２のパラメータおよび上記第２のフォーマットが格納された領域の長さとが同じであってもよい。
【００２４】
上記パラメータは、上記第１の記録層へのアクセスに関する第１パラメータを含み、上記フォーマットは、上記第１の記録層に関する第１フォーマットを含み、上記ディスク情報領域には上記第１パラメータと上記第１フォーマットとの組が連続して繰り返し格納されていてもよい。
【００２５】
上記パラメータは、上記複数の記録層のうちの他の１つである第２の記録層へのアクセスに関する第２パラメータを含み、上記フォーマットは、上記第２の記録層に関する第２フォーマットを含み、上記ディスク情報領域には上記第２パラメータと上記第２フォーマットとの組が連続して繰り返し格納されていてもよい。
【００２６】
上記ディスク情報領域は、上記パラメータと上記フォーマットとの組を複数個格納していてもよい。
【００２７】
ダミー領域をさらに備え、上記複数の組は第１の組と第２の組とを含み、上記ダミー領域は、上記ディスク情報領域の一部である上記第１の組が配置された領域と上記ディスク領域の他の一部である上記第２の組が配置された領域との間に配置されていてもよい。
【００２８】
上記ダミー領域の長さは、上記パラメータと上記フォーマットとの組が格納された領域の長さの整数倍であってもよい。
【００２９】
上記第１の記録層にはアドレスが割り当てられており、上記パラメータは、上記第１の記録層へのアクセスに関する第１のパラメータと、上記複数の記録層のうちの他の記録層へのアクセスに関する第２のパラメータとを含み、上記第１のパラメータと上記第２のパラメータとは、上記ディスク情報領域のうちの同じアドレスが割り当てられた領域に格納されていてもよい。
【００３０】
上記第１の記録層にはアドレスが割り当てられており、上記フォーマットは、上記第１
の記録層に関する第１のフォーマットと、上記複数の記録層のうちの他の記録層に関する第２のフォーマットとを含み、上記第１のフォーマットと上記第２のフォーマットとは、上記ディスク情報領域のうちの同じアドレスが割り当てられた領域に格納されていてもよい。
【００３１】
本発明の情報記録媒体に情報を記録するための記録装置において、上記情報記録媒体は、複数の記録層と、上記複数の記録層へのアクセスに関するパラメータおよび上記複数の記録層に関するフォーマットが格納されたディスク情報領域とを備え、上記ディスク情報領域は、上記複数の記録層のうちの１つである第１の記録層に配置されており、上記記録装置は、上記情報記録媒体に上記情報を光学的に書き込むことが可能な光ヘッド部と、上記光ヘッド部を用いた記録処理の実行を制御する制御部とを備え、上記記録処理は、上記ディスク情報領域に格納された上記パラメータおよび上記フォーマットを再生するステップと、上記再生されたパラメータおよびフォーマットに基づいて、上記情報記録媒体に上記情報を記録するステップとを包含し、そのことにより上記目的が達成される。
【００３２】
本発明の情報記録媒体に記録された情報を再生するための再生装置において、上記情報記録媒体は、複数の記録層と、上記複数の記録層へのアクセスに関するパラメータおよび上記複数の記録層に関するフォーマットが格納されたディスク情報領域とを備え、上記ディスク情報領域は、上記複数の記録層のうちの１つである第１の記録層に配置されており、上記再生装置は、上記情報記録媒体に記録された上記情報を光学的に読み出すことが可能な光ヘッド部と、上記光ヘッド部を用いた再生処理の実行を制御する制御部とを備え、上記再生処理は、上記ディスク情報領域に格納された上記パラメータおよび上記フォーマットを再生するステップと、上記再生されたパラメータおよびフォーマットに基づいて、上記情報記録媒体に記録された上記情報を再生するステップとを包含し、そのことにより上記目的が達成される。
【００３３】
本発明の情報記録媒体に情報を記録するための記録方法において、上記情報記録媒体は、複数の記録層と、上記複数の記録層へのアクセスに関するパラメータおよび上記複数の記録層に関するフォーマットが格納されたディスク情報領域とを備え、上記ディスク情報領域は、上記複数の記録層のうちの１つである第１の記録層に配置されており、上記記録方法は、上記ディスク情報領域に格納された上記パラメータおよび上記フォーマットを再生するステップと、上記再生されたパラメータおよびフォーマットに基づいて、上記情報記録媒体に上記情報を記録するステップとを包含し、そのことにより上記目的が達成される。
【００３４】
本発明の情報記録媒体に記録された情報を再生するための再生方法において、上記情報記録媒体は、複数の記録層と、上記複数の記録層へのアクセスに関するパラメータおよび上記複数の記録層に関するフォーマットが格納されたディスク情報領域とを備え、上記ディスク情報領域は、上記複数の記録層のうちの１つである第１の記録層に配置されており、上記再生方法は、上記ディスク情報領域に格納された上記パラメータおよび上記フォーマットを再生するステップと、上記再生されたパラメータおよびフォーマットに基づいて、上記情報記録媒体に記録された上記情報を再生するステップとを包含し、そのことにより上記目的が達成される。
【発明の効果】
【００３５】
本発明の光ディスクによれば、各記録層に記録再生を行う際に必要となる各記録層固有のパラメータおよびフォーマットを１つのディスク情報領域にまとめて記録している。この特徴により、１つのディスク情報領域から全記録層のパラメータおよびフォーマットを再生することが出来るので、複数の記録層に対するデータの記録再生時間を短縮することができる。
【発明を実施するための最良の形態】
【００３６】
以下、本発明の実施の形態における光ディスクについて、図面を参照して説明する。
【００３７】
図１は本発明の実施の形態における２層の記録層を備えた書き換え型光ディスク１００を示す。
【００３８】
光ディスク１００は、第１の記録層１０４と、第１の基板１０５と、接着樹脂１０３と、第２の基板１０１と、第２の記録層１０２とを備える。各基板および各記録層にはクランプ穴１０６が形成されている。光ディスク１００は、ユーザデータを記録するためのデータ領域１１５を備える。データ領域１１５は第１の記録層１０４と第２の記録層１０２との両方に渡って配置されている。データ領域１１５の一部であるデータ領域１１０が第２の記録層１０２に配置されており、データ領域１１５の一部であるデータ領域１１４が第１の記録層１０４に配置されている。
【００３９】
第２の記録層１０２は、ディスク情報領域１０７と、欠陥リスト領域１０８と、スペア領域１０９と、データ領域１１０とを備える。第１の記録層１０４は、ディスク情報領域１１１と、欠陥リスト領域１１２と、スペア領域１１３と、データ領域１１４とを備える。第１の記録層１０４と第２の記録層１０２とは、光ディスク１００の片面に設けられている。
【００４０】
ディスク情報領域１０７、欠陥リスト領域１０８、スペア領域１０９、データ領域１１０、ディスク情報領域１１１、欠陥領域１１２、スペア領域１１３、データ領域１１４には、スパイラル状もしくは同心円状に複数のトラックが形成されている。トラックは複数のセクタを備える。
【００４１】
ここで欠陥リスト領域１０８、スペア領域１０９、データ領域１１０、欠陥リスト領域１１２、スペア領域１１３、データ領域１１４は記録可能な領域であり、トラックは所定の周期で蛇行している。図２Ｂに示すトラックのように部分的な高調波成分の重畳によりトラックにアドレス情報等が記録されている。また、図２Ｃに示すトラックのように所定の周期の整数倍の区間を部分的に異なる周波数で置き換えることにより、トラックにアドレス情報等が記録されていてもよい。また図２Ｄに示すトラックのようにトラックの所定の周期の整数倍の区間を、部分的に異なる変調パターンもしくは異なる複数の周波数の組み合わせで置き換えても良い。トラックの形状の形式を図２Ｃや図２Ｄに示す形式のようにすることで、所定周期部分における位相の連続性を確保することができ、クロック抽出処理が容易になる。
【００４２】
第１の基板１０５、第２の基板１０１は、ポリカーボネート樹脂等で形成されており、第１の記録層１０４および第２の記録層１０２を保護する。ディスク情報領域１０７は再生専用領域であり、第１の記録層１０４および第２の記録層１０２へのアクセスに関するパラメータ、および第１の記録層１０４および第２の記録層１０２に関するフォーマットが格納されている。ディスク情報領域１１１も再生専用領域であり、第１の記録層１０４および第２の記録層１０２へのアクセスに関するパラメータ、および第１の記録層１０４および第２の記録層１０２に関するフォーマットが格納されている。ディスク情報領域１１１にはディスク情報領域１０７に記録された情報と同じ情報が記録されている。光ディスク１００は、ディスク情報領域１０７およびディスク情報領域１１１の両方を備えても良いし、ディスク情報領域１０７およびディスク情報領域１１１のいずれか一方のみを備えても良い。ディスク情報領域１０７は、パラメータとして第２の記録層１０２に対する情報の記録再生時に第２の記録層１０２に照射する適切なレーザ光の照射パワーを示す第２の照射パワー情報と、第１の記録層１０４に対する情報の記録再生時に第１の記録層１
０４に照射する適切なレーザ光の照射パワーを示す第１の照射パワー情報とを格納する。ディスク情報領域１１１も、パラメータとして第２の記録層１０２に対する情報の記録再生時に第２の記録層１０２に照射する適切なレーザ光の照射パワーを示す第２の照射パワー情報と、第１の記録層１０４に対する情報の記録再生時に第１の記録層１０４に照射する適切なレーザ光の照射パワーを示す第１の照射パワー情報とを格納する。上記情報の記録は、トラックを基本周期または倍周期毎に径方向に変調させることにより行う。トラック変調の一例を図２Ａに示す。
【００４３】
本実施の形態のように、ディスク情報領域１０７、ディスク情報領域１１１のような再生専用領域の溝の形状の形式と、欠陥リスト領域１０８、スペア領域１０９、データ領域１１０、欠陥領域１１２、スペア領域１１３、データ領域１１４のような記録可能領域の溝の形状の形式とを異ならせることにより、光ディスク装置がトラックに記録されたアドレスを再生する前に、記録再生装置は今再生している領域がディスク情報領域であるかどうかを認識することができる。
【００４４】
多層ディスクにおいて、特に読み出しを行う側のディスク表面から最も遠い層を再生する際のレーザ光の照射パワーは、単層ディスクを再生する際のレーザ光の照射パワーよりも大きいことが予想される。そのため光ディスク１００を光ディスク装置に装着したときに、単層ディスクを再生する際のレーザ光の照射パワーにより再生したために、照射パワーが不足してアドレスが再生できない場合でも、溝の形状から得られるトラッキング信号波形からディスク情報領域であるかどうかを判定することができる。
【００４５】
図３は、本発明の実施の形態における記録再生装置３００を示す。記録再生装置３００は、スピンドルモータ３０２と、光ヘッド３０３と、レーザ光制御回路３０４と、サーボ回路３０５と、再生二値化回路３０６と、ディジタル信号処理回路３０７と、記録補償回路３０８と、ＣＰＵ３０９とを備える。
【００４６】
記録再生装置３００には光ディスク１００（図１）が搭載される。記録再生装置３００はホストＰＣ３１０と情報の送受信を行う。
【００４７】
制御部として機能するＣＰＵ３０９は、内蔵された制御プログラムに従って、記録再生装置３００の全体動作を制御する。以下に説明するように、光ヘッド３０３は、光ディスク１００の片側から、光ディスク１００に情報を光学的に書き込むことが可能である。また、光ヘッド３０３は、光ディスク１００から情報を光学的に読み出すことが可能である。ＣＰＵ３０９は、光ヘッド３０３を用いて記録処理の実行および再生処理の実行を制御する。記録処理は、ディスク情報領域に格納されたパラメータおよびフォーマットを再生するステップと、再生されたパラメータおよびフォーマットに基づいて光ディスク１００にユーザデータを記録するステップとを含む。再生処理は、ディスク情報領域に格納されたパラメータおよびフォーマットを再生するステップと、再生されたパラメータおよびフォーマットに基づいて光ディスク１００に記録されたユーザデータを再生するステップとを含む。以下に記録再生装置３００の動作についてより詳細に説明する。
【００４８】
光ディスク１００については図１を参照して説明したとおりである。スピンドルモータ３０２は、光ディスク１００を回転させるためのモータである。光ヘッド３０３は、レーザ光を光ディスク１００に照射する。また、レーザ光３１１を光ディスク１００に照射した結果の反射光を電気的な信号に変換して再生信号として出力する。レーザ光制御回路３０４は、光ヘッド３０３から出力されるレーザ光のパワーを制御する。これらの制御はＣＰＵ３０９の指示に基づいて行う。サーボ回路３０５は、光ヘッド３０３の位置制御、フォーカス、トラッキングの制御、スピンドルモータ３０２の回転制御を行う。再生二値化回路３０６は、光ヘッド３０３より得られた再生信号（データ情報は和信号、ディスク情
報領域やアドレスに関する情報は差信号）に、増幅処理、二値化処理を行い、二値化信号を生成する。また内部されたＰＬＬ（図示せず）により、二値化信号に同期したクロックが生成される。
【００４９】
ディジタル信号処理回路３０７は、二値化信号に所定の復調処理やエラー訂正処理を行う。データ記録時は記録データにエラー訂正コード付加処理、所定の変調処理を行い、変調データを生成する。記録補償回路３０８は、変調データをパルス列から構成される光変調データに変換し、さらに光変調データのパルス幅等を、ディスク情報領域の再生信号や、予めＣＰＵ３０９に記憶されているデータを基に微妙に調整し、ピット形成に適した記録パルス信号に変換する。ＣＰＵ３０９は、記録再生装置３００全体の制御を行う。ホストＰＣ３１０は、コンピュータ（図示せず）、アプリケーション（図示せず）、オペレーティングシステム（図示せず）等を備え、記録再生装置３００に情報の記録や再生の要求を行う。
【００５０】
光ディスク１００が記録再生装置３００に挿入されると、レーザ光制御回路３０４、サーボ回路３０５からの信号に基づいて、光ヘッド３０３は所定の照射パワーによりディスク情報領域１１１を再生し、第１の記録層および第２の記録層に情報（ユーザデータ）を記録する際の照射パワー情報等を再生する。ホストＰＣ３１０からの記録要求があると、ＣＰＵ３０９はレーザ光制御回路３０４に第１の記録層１０４に記録を行う際の記録パワーを設定し、光ヘッド３０３を用いてデータ領域１１４に情報の記録を行う。続いてレーザ光制御回路３０４に第２の記録層１０２に記録を行う際の記録パワーを設定し、データ領域１１０に情報の記録を行う。
【００５１】
光ディスク１００のディスク情報領域１１１に、第１の記録層１０４および第２の記録層１０２の両方のパラメータおよびフォーマット（記録する際の照射パワー情報等）が記録されていることにより、ディスク情報領域から情報を再生する回数が１回ですむ。これにより、第２の記録層１０２に記録するためにディスク情報領域１０７を再生し、第１の記録層１０４に記録するためにディスク情報領域１１１を再生する場合と比較して、ディスク情報領域へのアクセスに必要な時間を短縮することができる。
【００５２】
また本実施の形態のように、ディスク情報領域１０７とディスク情報領域１１１の両方にパラメータおよびフォーマットが記録されていることにより、どちらの層を再生しても両方の層に記録を行う際の照射パワー情報等を入手することができる。このため、接着樹脂１０３の厚みむらやサーボ回路３０５によるフォーカス制御時の外乱により、所定の記録層とは異なる層の情報を再生してしまった場合でも、その層のディスク情報領域の情報を再生することにより記録に必要な情報を入手することができる。
【００５３】
さらに本実施の形態のように、ディスク情報領域１０７とディスク情報領域１１１の両方に照射パワー情報等が記録されていることにより、例えばデータ領域１１４に最初に記録する際にはディスク情報領域１１１を再生し、データ領域１１０に最初に記録する際にはディスク情報領域１０７を再生することにより、データを記録するまでの所要時間を短縮することができる。
【００５４】
なお本実施の形態では、第１の記録層１０４および第２の記録層１０２の二つの層に記録を行うとしているが記録可能な記録層は３つ以上でも良い。また本実施の形態では、ディスク情報領域１０７、ディスク情報領域１１１への情報の記録フォーマットとして、トラックの蛇行を基本周期および倍周期毎に径方向に変調させているが、図２Ｂに示すように、所定の周期で蛇行したトラックへの部分的な高調波成分の重畳により情報を記録したり、図２Ｃや図２Ｄに示すように、所定の周期で蛇行したトラックの一部を異なる周波数やパターンに置き換えることによって情報を記録しても良い。特に全ての領域で溝形状の
形式を等しくすることで基板をより簡単に製造することができる。
【００５５】
また本実施の形態では、ディスク情報領域１０７、ディスク情報領域１１１は共にスパイラル状もしくは同心円状に複数のトラックを有するとしている。ディスク情報領域１０７、ディスク情報領域１１１は、凹凸ピットにより情報が記録されていても良いし、出荷前等に、データ領域に記録を行う方法と同じ方法でディスク情報領域にプリ記録がなされていても良い。
【００５６】
またディスク情報領域１０７、ディスク情報領域１１１のトラックピッチ（もしくは径方向のピットピッチ）が、欠陥リスト領域１０８、スペア領域１０９、データ領域１１０、欠陥リスト領域１１２、スペア領域１１３、データ領域１１４のトラックピッチ（もしくは径方向のピットピッチ）と異なっていても良い。ディスク情報領域のトラックピッチを広げることで隣接トラックからの影響をより低減することができる。
【００５７】
またディスク情報領域のトラックピッチやピットピッチをデータ領域等の記録可能な領域のトラックピッチやピットピッチより広げることで、例えばレーザ波長の長い光ヘッドを有する光ディスク装置においてもディスク情報領域を再生することが可能となり、最低限の情報をユーザに返すことができる。すなわちディスク情報領域についての異機種間の互換性を広げることで、例え仕様上記録ができない場合でも、記録ができない理由を明確にすることができる。
【００５８】
ところで一般に一方の層から他方の層への垂直方向のレーザ光のスポットの移動においては、基板の貼り合わせのずれや、各基板のクランプ穴の位置ずれ等により同一半径位置に移動することは難しい。例えば第１の記録層１０４の内周側から１０００トラック目の位置から、第２の記録層１０２の内周側から１０００トラック目の位置に移動しようとしても、±５０トラック程度のずれが生じる。従って再生専用のトラックと記録可能なトラックの境界付近で層間をレーザ光のスポットが移動する際に、移動先の層においてトラックが不連続であると不安定な動作となり、速やかに移動先の層での再生や記録ができなくなる。
【００５９】
そこでディスク情報領域１０７、ディスク情報領域１１１のトラックピッチが欠陥リスト領域１０８、スペア領域１０９、データ領域１１０、欠陥リスト領域１１２、スペア領域１１３、データ領域１１４のトラックピッチと異なっている場合でも、ディスク情報領域１０７のトラックの溝は、ディスク情報領域１０７と隣接する領域（図１に示す例では欠陥リスト領域１０８である。スペア領域１０９、データ領域１１０であってもよい）のトラックの溝と連続して繋がっていることが望ましい。同様にディスク情報領域１１１のトラックの溝は、ディスク情報領域１１１と隣接する領域（図１に示す例では欠陥リスト領域１１２である。スペア領域１１３、データ領域１１４であってもよい）のトラックの溝と連続して繋がっていることが望ましい。なおトラックピッチの変移はデータ容量の観点から１００トラック程度以内で完了することが望ましいが、ピッチ変動についてはできるだけ緩やかに変動することが望ましい。またレーザ光のスポットが層間を移動する際にどの層のトラックに移動しても速やかに再生できるよう、サーボの観点からはディスク情報領域のトラックピッチと、欠陥リスト領域やスペア領域やデータ領域のトラックピッチとの差は望ましくは１０％程度であり、最大でも１５％以下であることが望ましい。
【００６０】
なお本実施の形態では、ディスク情報領域では図２Ａに示すようにトラックに対して基本周期および倍周期で径方向に変調させることによりディスク情報を記録する。欠陥リスト領域、スペア領域、データ領域では図２Ｂや図２Ｃや図２Ｄに示すように、所定の周期で蛇行するトラックへの部分的な周波数変調や、高調波成分の重畳によりアドレス情報等が記録されている。トラックピッチの変移領域の全部もしくは一部においては、ディスク
情報領域、欠陥リスト領域、スペア領域、データ領域のどの領域にもない変調方式でトラックが形成されていても良いし、逆に全く変調されていなくても良いし、さらには蛇行していなくとも良い。
【００６１】
このように、トラックピッチの変移領域において、その前後の領域と変調方式や形状の形式を異ならせることにより、変移領域であることを記録再生装置３００に速やかに認識することができる。
【００６２】
以上のようにトラックピッチが異なる領域間において不連続箇所をなくすことにより、不連続箇所がある光ディスクにおいてレーザ光のスポットが不連続箇所の移動元から半径方向に大きく離れてから移動先へ移動する場合と比較して、移動先の領域での処理を速やかに開始することができる。
【００６３】
また本実施の形態ではディスク情報領域はディスクの最内周側に設けられているが、最外周側に設けられていても良く、さらに最内周側と最外周側の両方に設けられていても良い。
【００６４】
なお本実施の形態では、ディスク情報領域１０７とディスク情報領域１１１の両方に第１の記録層および第２の記録層に記録する際の照射パワー情報等が記録されているが、再生する層が特定できる場合には全ての層のディスク情報領域に全ての層の照射パワー情報等が記録されていなくても良い。
【００６５】
１層の記録層を備えた光ディスクの読み出しを行う側のディスク表面から記録層までの距離と、光ディスク１００の読み出しを行う側のディスク表面からの距離がほぼ同じ記録層を基準層とし、少なくとも基準層はディスク情報領域を有するようにしてもよい。このことにより、１層の記録層を備えた光ディスクに記録再生を行う記録再生装置を用いて、光ディスク１００の任意の層のディスク情報を入手することができ、記録再生装置の構成を簡単にすることができる。基準層となる記録層（例えば第１の記録層１０４）は、複数の記録層の中から予め決められている。
【００６６】
なおディスク表面からの距離が遠いほど、チルトによる再生信号の劣化が大きくなる。このことから、ディスク表面からの距離が１層の記録層を備えたディスクとほぼ同じ層である基準層をディスク表面から最も遠い層にすることが望ましい。その際に、基準層以外の記録層の一部の領域であって基準層のディスク情報領域と同じ半径位置の領域の溝の形状の形式を、ユーザデータを記録するためのデータ領域の溝の形状の形式と同じすることにより、半径位置に関わらず透過率を同じにすることができる。これにより、基準層のディスク情報領域を再生するための特別な検出手段を必要とせず、記録再生装置の構成を簡単にすることができ、さらに記録層の製造が容易になる。
【００６７】
特に、複数の記録層を備えた多層ディスクにおいて、基準層以外の記録層の溝形状の形式をデータ領域と同じ溝形状の形式としての溝形状の形式を一つにすることにより基板の製造が非常に容易になる。
【００６８】
また基準層にディスク情報領域を設ける場合に、基準層以外の記録層の一部の領域であって基準層のディスク情報領域と同じ半径位置の領域を溝を有しない平らな構造にすることにより、基準層以外の記録層の光の散乱を低減することができ、基準層の再生信号品質を向上させることができる。
【００６９】
また基準層にのみディスク情報領域を設けることで、光ディスクのディスク情報領域が配置された半径位置付近を再生することにより、再生している記録層が基準層かどうかを
簡単に判定することができる。
【００７０】
ディスク情報領域は、複数の記録層に関するパラメータとして、再生する際の推奨照射パワー情報、記録する際の推奨照射パワー情報、最大照射パワー情報、記録時のパルス幅、記録時に複数の照射パワーを組み合わせる場合のそれらの比率、記録する際の最適な照射パワーを決定する際に利用するマージン定数等を格納し得る。
【００７１】
ディスク情報領域は、複数の記録層に関するフォーマットとして、ディスク名称、ディスクサイズ、バージョン情報、任意の層のディスクタイプ（すなわち記録再生可能な層か、再生専用の層かを示す識別子）、記録可能な層の総数、再生専用の層の総数、全部の層の総数を格納し得る。さらにディスク情報領域は、複数の記録層に関するフォーマットとして、任意の層の情報のコピー可否を示す識別子、クロック情報、ディスク製造後に固有情報を付与するためのＢＣＡ（Ｂｕｒｓｔ  Ｃｕｔｔｉｎｇ  Ａｒｅａ）が配置されているかどうかを示す識別子、転送レート、記録再生方向、物理アドレス開始番号、物理アドレス終了番号、論理アドレス開始番号、論理アドレス終了番号、最短マーク長、記録速度等を格納し得る。
【００７２】
なお各記録層毎に記録再生に必要なパラメータを設定することによりディスク設計における自由度を高めることができる。例えば高密度の記録を実現するに当たり、複数の記録層に情報の記録を行う場合には、少なくとも光が通過する他層についてはその反射のばらつきを考慮する必要がある。このため一つの記録層にのみ記録を行う場合に比べてより精度の高い設計が要求される。その際に、例えば第１の記録層１０４も第２の記録層１０２も同じ照射パワーで再生しなければならないとすると、記録膜の観点からは設計が困難になることが予想される。例えば第２の記録層１０２は高透過率の下で記録性能を確保しなければならない。そこで再生時の照射パワーの限定は行わず、その代わりに照射パワー情報をディスク情報領域に記録しておくことにより、第１の記録層１０４を再生する際の照射パワーを高くすることが可能となり、第２の記録層１０２の記録膜設計における自由度を高めることができる。
【００７３】
さらに任意の層の記録再生に必要なパラメータを少なくとも一つの記録層のディスク情報領域にまとめて記録しておくことにより、ディスク全体の最適な制御方法を直ちに把握することができる。
【００７４】
なおＢＣＡはディスク情報領域の内容が同一のディスクについて、さらに詳細にディスクの分類を行うものであり、ディスクの製造後に工場においてバーコード状の記録を行う。ＢＣＡの配置は少なくとも一層、望ましくは基準層に行われていれば良い。このときＢＣＡの存在しない層において、基準層と溝形状を異ならせることにより、基準層においてＢＣＡが配置されている半径範囲を再生することにより基準層かどうかを簡単に判定することができる。特に基準層以外の記録層において、ＢＣＡが配置されている半径範囲を、溝を有しない平らな構造にすることにより、他層における光の散乱を低減することができ、ＢＣＡの再生信号品質を向上させることができるとともに基板の製造を容易にする。
【００７５】
なおＢＣＡの情報の記録は、記録可能な領域に記録するよりもはるかに大きい出力でレーザ照射を行うため、欠陥リスト領域や、スペア領域やデータ領域等の記録可能な領域の記録膜の特性にダメージを与える危険性がある。このことから、記録位置ばらつきを含めて記録可能な領域にはＢＣＡが配置されないようにすることが望ましい。仮に記録可能な領域を、ＢＣＡを配置する領域に近接させる場合には領域間に使用目的を規定しないバッファ領域を設けることが望ましいが、この場合には正味の記録可能な領域の容量が減少する。
【００７６】
以上の観点から通常ＢＣＡを配置する領域は半径方向における端に設けることが望ましい。またＢＣＡの情報は通常起動時に必要であるということと、容量の観点から外周側にＢＣＡを配置することは好ましくない。図８Ａに示すようにディスク情報領域のさらに内側に設けることが望ましい。また前述したようにＢＣＡの情報の記録時は大出力でレーザ照射を行うため、再生専用領域の記録済みのデータを破壊する危険性がある。このことから、図８Ｂのディスク情報領域８０１Ａのようにディスク情報領域の内周部に、例えばデータ“０”等のダミーデータを記録したバッファ部を設け、実データは外周部のディスク情報領域８０１Ｂに記録してあっても良い。
【００７７】
なお本実施の形態では、ディスク情報領域ではトラックを基本周期および倍周期で径方向に変調させることによりディスク情報を記録しているが、ＢＣＡを配置する領域はディスク情報領域と異なる変調方法を用いても良いし、逆に全く変調を行わないストレート溝であっても良いし、所定周期で蛇行していても良い。さらにはＢＣＡを配置する領域とディスク情報記録領域とでトラックピッチを異ならせても良い。この場合もＢＣＡの情報の記録によりトラック溝がダメージを受けている危険性があるので、トラックピッチはＢＣＡを配置する領域の方を広くすることが望ましい。
【００７８】
以上のように、ＢＣＡを配置する領域とディスク情報記録領域とにおいてトラックの変調方式や形状の形式を異ならせることにより、記録再生装置は両方の領域を速やかに判別することができる。
【００７９】
ところで一般に一方の記録層から他方の記録層への垂直方向の移動において、基板の貼り合わせのずれや、各基板のクランプ穴の位置ずれ等により同一半径位置に移動することは難しい。例えば第１の記録層１０４の内周側から１０００トラック目から、第２の記録層１０２の内周側から１０００トラック目に移動しようとしても±５０トラック程度のずれが生じる。従ってＢＣＡを記録する領域とディスク情報領域の境界付近で層を移動する際に、移動先の層においてトラックが不連続であると不安定な動作となり、速やかに移動先の層での再生ができなくなる。そこでＢＣＡを配置する領域のトラックピッチとディスク情報領域のトラックピッチとが異なっている場合でも、ＢＣＡを配置する領域のトラックとディスク情報領域のトラックは、連続して繋がっていることが望ましい。さらにトラックピッチの変動についてもできるだけ緩やかに変動することが望ましい。
【００８０】
再生時の照射パワー情報は記録時の照射パワー情報に先行して記録されていることが望ましく、これによりホストＰＣからの要求が再生のときには記録時の照射パワー情報を再生しないことにより、速やかにデータの再生を行うことができる。
【００８１】
また欠陥リスト領域１０８、スペア領域１０９、データ領域１１０、欠陥リスト領域１１２、スペア領域１１３、データ領域１１４におけるトラックに、ディスク情報領域に記録されている任意の層の記録再生に必要なパラメータやフォーマットが記録されていても良い。任意のトラックにこのような情報が記録されていることにより、例えばホストＰＣ３１０から再生要求が入ったとき、再生時の誤った照射パワーでユーザのデータを消去する危険性のないディスク情報領域で、再生時の照射パワー等の必要最低限の情報を再生する。次に、残りの情報、例えば次に記録要求が入る場合を想定した記録時の照射パワー情報等を、データ領域のトラックから回転待ち時間を利用して再生することにより、速やかにデータの再生を行うことができる。
【００８２】
パラメータ、フォーマットの記録方式としては各領域におけるアドレス情報の記録方式と同一でも良いし、アドレス情報の記録方式とは異なる記録方式でも良い。
【００８３】
欠陥リスト領域１０８、スペア領域１０９、データ領域１１０、欠陥リスト領域１１２
、スペア領域１１３、データ領域１１４等の全ての領域に、ディスク情報領域に記録されているパラメータやフォーマットが記録されていなくても良い。例えばデータ領域１１４に記録しないことにすることにより、他の領域とトラック形状が同一でも、パラメータやフォーマットが無いことからデータ領域であることを記録再生装置は認識することができる。
【００８４】
なお欠陥リスト領域１０８、スペア領域１０９、データ領域１１０、欠陥リスト領域１１２、スペア領域１１３、データ領域１１４におけるトラックに全ての層のパラメータやフォーマットが記録されていなくとも良く、自層についてのパラメータやフォーマットが記録されているだけでも良い。または自層のパラメータやフォーマットに加えて最低限必要な他層の情報だけが記録されていても良い。他層の情報が記録されていないことにより、例えばアドレス情報の繰り返し回数を増加することができる。またディスク基板を製造する際にも、組み合わせる他層の情報を最内周部分にだけ入れれば良いので簡単に製造することができる。
【００８５】
次にアドレス番号について図４Ａ〜図４Ｄ、図５Ａ〜図５Ｄを参照して説明する。図４Ａ、図４Ｂ、図４Ｃ、図４Ｄはトラックと記録再生方向とアドレス番号の一例を示す図である。図４Ａは第１の記録層１０４のスパイラル状の溝パターンを示し、図４Ｂは第２の記録層１０２のスパイラル状の溝パターンを示し、図４Ｃは光ディスク１００の記録再生方向を示し、図４Ｄはアドレス番号の割付けを示す。光ディスク１００が回転すると、トラック４０１、もしくはトラック４０２に沿って、光ヘッド３０３は内周から外周へと進む。データを順に記録する場合、例えばデータ領域１１４の最内周から最外周まで記録し、その後、データ領域１１０の最内周から最外周へと記録される。各記録層の物理アドレス番号４０３および論理アドレス番号４０４は記録再生方向の順で増加するように割付けられる。物理アドレス番号４０３は、０から始まらなくても良いし、１層目と２層目で連続していなくても良い。
【００８６】
例えば層番号を物理アドレス番号４０３に含め、物理アドレス番号４０３の上位に位置するように設定しても良い。論理アドレス番号４０４は、ディスクにある全てのデータ領域に対して、０から始まる連続した数字が割付けられ、１層目のデータ領域１１４において、論理アドレス番号４０４は最内周で０になり、外周へ進むにつれて１づつ増加し、２層目のデータ領域１１０において、最内周で１層目の最大番号に１を加えた番号になり、外周へ進むにつれて１づつ増加する。なお４０５、４０６は図１には図示していないリードアウト領域と呼ばれる領域であり、光ヘッド３０３がデータ領域をオーバーランしてもトラックに追随できるように設けられている。
【００８７】
図４Ａ〜図４Ｄに示すようにスパイラル方向の等しい基板を用いることにより、後述するスパイラル方向の異なる基板を製造する場合に比べ、基板製造のプロセスを簡単にすることができる。
【００８８】
図５Ａ、図５Ｂ、図５Ｃ、図５Ｄもトラックと記録再生方向とアドレス番号の一例を示す図である。図５Ａは第１の記録層１０４のスパイラル状の溝パターンを示し、図５Ｂは第２の記録層１０２のスパイラル状の溝パターンを示し、図５Ｃは光ディスク１００の記録再生方向を示し、図５Ｄはアドレス番号の割付けを示す。光ディスク１００が回転すると、トラック５０１もしくはトラック５０２に沿って、光ヘッド３０３は、第１の記録層１０４は内周から外周へ進み、第２の記録層１０２は外周から内周へと進む。データを順に記録する場合、例えばデータ領域１１４の最内周から最外周まで記録し、その後、データ領域１１０の最外周から最内周へと記録される。各記録層の物理アドレス番号５０３および論理アドレス番号５０４は記録再生方向の順で増加するように割付けられる。但し、２層目のスパイラルが逆向きであるのでアドレス番号と半径の関係は変わる。論理アドレ
ス番号５０４は、１層目のデータ領域１１４において、最内周で０になり、外周へ進むにつれて１づつ増加する。２層目のデータ領域１１０において、最外周で１層目の最大ＬＳＮに１を加えた番号になり、内周へ進むにつれて１づつ増加する。なお５０５、５０６は図１には図示していないリードアウト領域と呼ばれる領域であり、光ヘッド３０３がデータ領域をオーバーランしてもトラックに追随できるように設けられている。
【００８９】
図５Ａ、図５Ｂ、図５Ｃ、図５Ｄに示すようにデータ領域１１４の最内周から最外周まで記録し、その後、データ領域１１０の最外周から最内周へと記録する場合には、特に各記録層固有のパラメータやフォーマット情報を、一つのディスク情報領域にまとめて記録しておくことにより、最外周から最内周のディスク情報領域まで戻る必要がないのでより効果が大きい。
【００９０】
同様に再生のみを行う場合でもデータ領域１１４の最内周から最外周まで再生し、その後データ領域１１０の最外周から最内周へと再生する場合にも、特に各記録層固有のパラメータやフォーマット情報を、一つのディスク情報領域にまとめて記録しておくことにより、最外周から最内周のディスク情報領域まで戻る必要がないのでより効果が大きい。
【００９１】
なおディスク情報領域１０７および１１１における各記録層固有のパラメータやフォーマットのレイアウトを図６Ａに示す。図６Ａにおいて、♯１は第１の記録層１０４に関係するパラメータおよびフォーマットのうちの少なくとも一方を示し、♯２は第２の記録層１０２に関係するパラメータおよびフォーマットのうちの少なくとも一方を示す。図６Ａに示すディスク情報領域６０１から６０３および６０９に二層ディスクにおけるディスク情報領域のレイアウトを示している。ディスク情報領域６０１から６０３および６０９はディスク情報領域１０７および１１１に対応する。ディスク情報領域６０４が示す情報のレイアウトは単層ディスクにおけるディスク情報領域の情報のレイアウトである。なおディスク情報領域６０１から６０３および６０９における情報のレイアウトとしては、二層ディスクに限らず、多層ディスクについても同様の規則をあてはめることができる。
【００９２】
ディスク情報領域６０１から６０３および６０９において、各記録層固有のパラメータやフォーマット情報は複数セットが記録されている。このように複数セットを記録することにより、一つの領域が傷や埃によって再生できなくても他の領域を再生することにより、所望の情報を入手することができる。
【００９３】
なおパラメータおよびフォーマットが記録された領域長さは、どの層のパラメータおよびフォーマットが記録された領域についても同一であることが望ましい。これにより情報の開始位置を特定することが可能になり、待ち時間を短縮することができるとともに、繰り返し毎、もしくは記録層毎に開始位置を探索する必要がなくなり、記録再生装置の構成を簡単にすることができる。この場合、例えば、ディスク情報領域のうちの第１の記録層１０４に関するパラメータおよびフォーマットが格納された領域の長さと、ディスク情報領域のうちの第２の記録層１０２に関するパラメータおよびフォーマットが格納された領域の長さとが同じである。
【００９４】
ディスク情報領域６０１には、全記録層のパラメータおよびフォーマット情報を１セットとした情報のセットが４回繰り返して記録されている。ディスク情報領域６０１の残りの領域６０５には例えばデータ“０”を記録しておく。このとき、記録再生方向が内周側から外周側へ向かう方向のときには、最初に再生する記録層（例えば基準層である第１の記録層１０４）のパラメータおよびフォーマットを最も内周側に記録しておくことにより、最初に再生する記録層のパラメータおよびフォーマットを速やかに入手することができ、最初に再生する記録層の再生時の照射パワーが正しくない場合でも速やかに照射パワーを訂正することができる。この場合、ディスク情報領域のうちの第１の記録層１０４に関
するパラメータおよびフォーマットが格納された領域に割り当てられたアドレスは、ディスク情報領域のうちの第２の記録層１０２に関するパラメータおよびフォーマットが格納された領域に割り当てられたアドレスよりも小さくなるように情報を格納する。このとき、ディスク情報領域のうちの第１の記録層１０４に関する照射パワー情報が格納された領域に割り当てられているアドレスは、ディスク情報領域のうちの第２の記録層１０２に関する照射パワー情報が格納された領域に割り当てられているアドレスよりも小さくなるように情報が格納される。この特徴により、例えばレーザの照射パワーが高すぎることによるデータの破壊を最小限に抑えることができる。
【００９５】
同様に再生方向が外周側から内周側へ向かう方向のときには、最初に再生する記録層の情報を最も外周側に記録しておくことにより、最初に再生する層の再生時の照射パワーが正しくない場合でも速やかに訂正することができる。さらに後述する６０２と比較して短時間で全ての記録層の情報を再生することができる。
【００９６】
第１の記録層１０４および第２の記録層１０２に関するパラメータおよびフォーマットの情報量が少ない場合は、第１の記録層１０４に関するパラメータおよびフォーマットと、第２の記録層１０２に関するパラメータおよびフォーマットとは、ディスク情報領域のうちの同じアドレスが割り当てられてた領域に格納されてもよい。ここで、第１の記録層１０４には、光ディスク１００の周方向に沿って光ディスク１００の内周側から外周側へ向かう方向にアドレスが割り当てられているとする。この場合、ディスク情報領域１０７が備える上記同じアドレスが割り当てられた領域のうちの第１の記録層１０４に関するパラメータおよびフォーマットが格納された領域は、上記同じアドレスが割り当てられた領域のうちの第２の記録層１０２に関するパラメータおよびフォーマットが格納された領域よりも光ディスク１００の内周側に配置される。また、第１の記録層１０４に、光ディスク１００の周方向に沿って光ディスク１００の外周側から内周側へ向かう方向にアドレスが割り当てられている場合には、ディスク情報領域１０７が備える上記同じアドレスが割り当てられた領域のうちの第１の記録層１０４に関するパラメータおよびフォーマットが格納された領域は、上記同じアドレスが割り当てられた領域のうちの第２の記録層１０２に関するパラメータおよびフォーマットが格納された領域よりも光ディスク１００の外周側に配置される。
【００９７】
なお、第２の記録層１０２が備えるディスク情報領域１０７では、第２の記録層１０２に関するパラメータおよびフォーマットが格納された領域に割り当てられたアドレスが、ディスク情報領域のうちの第１の記録層１０４に関するパラメータおよびフォーマットが格納された領域に割り当てられたアドレスよりも小さくなるように情報が格納されてもよい。これにより、第２の記録層１０２を第１の記録層１０４よりも先に再生する場合でも、第２の記録層１０２に関するパラメータおよびフォーマットを速やかに入手することができ、第２の記録層１０２に照射されるレーザ光の照射パワーが正しくない場合でも速やかに照射パワーを訂正することができる。
【００９８】
なおディスク情報領域６０１の領域６０５を除く領域の実データ量を示す（例えばバイト単位で示す）情報を、ディスク情報領域の最内周付近に記録しておいても良い。これにより記録再生装置は不要なデータを再生することがなくなり速やかに次の処理を実行することができる。実データ量は記録層毎に異なっていても良く、記録層毎に実データ量をディスク情報領域の最内周付近に記録しておいても良い。
【００９９】
またディスク情報領域６０１では各記録層の情報を１セットづつ記録したものを４回繰り返しているが、繰り返し回数はこれに限らず、また繰り返し回数を示す情報をディスク情報領域６０１の最内周付近に記録しておいても良い。これにより記録再生装置は不要なデータを再生することがなくなり速やかに次の処理を実行することができる。
【０１００】
ディスク情報領域６０２には記録層ごとのパラメータおよびフォーマット情報を１セットとした情報のセットが４セットずつ記録されている。ディスク情報領域の残りの領域６０６には例えばデータ“０”を記録しておく。このとき最初に再生する記録層に関する情報を最も内周側に記録しておくことにより、最初に再生する層の再生時の照射パワーが正しくない場合でも速やかに照射パワーを訂正することができる。この場合、ディスク情報領域のうちの第１の記録層１０４に関するパラメータおよびフォーマットが格納された領域に割り当てられたアドレスは、ディスク情報領域のうちの第２の記録層１０２に関するパラメータおよびフォーマットが格納された領域に割り当てられたアドレスよりも小さくなるように情報を格納する。さらに単層ディスクのディスク情報領域のレイアウトであるディスク情報領域６０４の情報のレイアウトと、ディスク情報領域６０２の内周側の情報のレイアウトとが同一であることから、光ディスク１００の再生アルゴリズムを単層ディスクに付加する形式と同じ形式として光ディスク１００を製造することができるので、記録再生装置を簡単にすることができる。
【０１０１】
なおディスク情報領域６０２の領域６０６を除く領域の実データ量を示す（例えばバイト単位で示す）情報を、ディスク情報領域の最内周付近に記録しておいても良い。これにより記録再生装置は不要なデータを再生することがなくなり速やかに次の処理を実行することができる。実データ量は記録層毎に異なっていても良く、記録層毎に実データ量をディスク情報領域の最内周付近に記録しておいても良い。
【０１０２】
またディスク情報領域６０２では記録層毎の情報を１セットづつ記録したものを４回繰り返して記録しているが、繰り返し回数はこれに限らず、また繰り返し回数を示す情報をディスク情報領域６０２の最内周付近に記録しておいても良い。これにより記録再生装置は不要なデータを再生することがなくなり速やかに次の処理を実行することができる。なお繰り返し回数は記録層毎に異なっていても良く、記録層毎の情報のセットの繰り返し回数をディスク情報領域６０２の最内周付近に記録しておいても良い。
【０１０３】
ディスク情報領域６０３には、記録再生に必要なパラメータやフォーマット情報を各要素に分けて、全記録層の特定の要素を集めて１セットとした情報のセットが記録されている。繰り返し方法についてはディスク情報領域６０１のようにまず要素ごとに一通り並べたセットを複数回記録しても良いし、ディスク情報領域６０２のように要素毎に複数回記録してから他要素の情報を記録しても良い。
【０１０４】
またディスク情報領域６０３においても、ディスク情報領域の残りの領域６０７には例えばデータ“０”を記録しておいても良い。さらに最初に再生する記録層の情報を最も内周側に記録しておくことにより、最初に再生する層の再生時の照射パワーが正しくない場合でも照射パワーを速やかに訂正することができる。
【０１０５】
なおディスク情報領域６０３の領域６０７を除く領域の実データ量を示す（例えばバイト単位で示す）情報を、ディスク情報領域６０３の最内周付近に記録しておいても良い。これにより記録再生装置は不要なデータを再生することがなくなり速やかに次の処理を実行することができる。
【０１０６】
またディスク情報領域６０１から６０４において、パラメータやフォーマット情報を記録した残りの領域に所定のデータを記録しておくことにより、サーボ回路２０５により光ヘッド２０３をディスク情報領域に移動させる際に、所定のデータを再生することによってディスク情報領域であることを速やかに認識することができる。
【０１０７】
なおディスク情報領域６０１から６０３は、図４Ｄや図５Ｄにおけるアドレス番号が増
加する方向に、各記録層に関する情報の記録を行っており、例えば図５Ｄのようにスパイラル方向が逆になっている場合では、１層目の記録層と２層目の記録層とで物理的な配置は逆になる。例えば１層目の記録層はディスク情報領域の最内周部から記録を行い、２層目の記録層はディスク情報領域は最外周部から記録を行っているが、配置方法はこれに限らず、１層目も２層目の記録層もディスクの最内周部から記録を行って良い。
【０１０８】
なおディスク情報領域６０１から６０３において各記録層に共通のパラメータやフォーマット情報やディスク情報については、層毎の情報の記録に先だって記録を行って良い。ディスク情報領域６０９には、このような記録方法に従ってパラメータおよびフォーマットが記録されている。共通項目をまとめることにより、層数が多いほどディスク情報領域を節約することができる。なお共通項目についても図６Ａの情報♯１、♯２と同様の扱いとし複数回記録を行うことにより、一つの領域が傷や埃によって再生できなくても他の領域を再生することにより、所定の情報を入手することができる。
【０１０９】
なお各記録層の共通項目を記録する領域の長さは、各記録層の情報を記録する長さの倍数であることが望ましい。これにより、層数や共通項目の量が変わっても情報の開始位置を記録再生装置が予測することが容易になり、待ち時間を短縮することができるとともに記録再生装置の構成を簡単にすることができる。
【０１１０】
次に図６Ｂに、ディスク情報領域６０１の改変例であるディスク情報領域１１０１、１１０２、１１０３および１１０４を示す。ディスク情報領域１１０１、１１０２、１１０３および１１０４は複数のダミー領域１１００を含む。
【０１１１】
ディスク情報領域１１０１では、全ての記録層に関するパラメータおよびフォーマットのセットの情報が繰り返し記録されており、セットの情報が記録された各領域の間にダミー領域が配置されている。これによりダミー領域を検出することで、直後の領域に情報♯１が記録されていること、又は直前の領域に情報♯２が記録されていることを認識することができる。これにより情報♯１、♯２の各情報内に自身を示す識別子を設ける必要がなくなり、記録再生装置の構成を簡単にすることができるとともに処理時間を短縮することができる。
【０１１２】
なおダミー領域にはディスク情報領域の残りの領域１１０５に記録する内容と同一の内容（例えばデータ“０”）を記録しても良いし、異なる内容を記録しても良い。異なる内容を記録することにより、直後の領域に情報♯１が記録されていること、又は直前の領域に情報♯２が記録されていることを明確に認識することができる。また同一の内容を記録した場合でも記録長を変えることにより領域１１０５との違いが明確になり、同様の効果が得られる。
【０１１３】
さらにディスク情報領域６０９（図６Ａ）に示す様にダミー領域に情報♯１、♯２共通の情報を記録することで、直後の領域に情報♯１が記録されていること、又は直前の領域に情報♯２が記録されていることを認識することができることに加え、共通情報の取得が容易になる。
【０１１４】
なおディスク情報領域１１０２に示す様に、ダミー領域１１００を領域１１０６に隣接して記録しても良く、これにより、少なくとも直前の領域に情報♯２が記録されていることを認識することができる。なおディスク情報領域１１０２における最後のダミー領域のみ、他のダミー領域と記録内容が異なっていても良い。これにより繰り返し記録が終了することを明確にすることができる。
【０１１５】
さらにダミー領域の長さを、ディスク情報領域１１０３に示す様に、情報♯１、情報♯
２の１セットを記録する領域の長さの整数倍にしてもよい。このことにより、層数が異なる場合でも各記録層の情報の開始位置を予測することが容易になり、待ち時間を短縮することができるとともに再生装置の構成を簡単にすることができる。
【０１１６】
またディスク情報領域１１０４に示す様にダミー領域１１００を最初の情報♯１、情報♯２が記録された領域の前にも記録しても良い。これにより、少なくとも直後の領域に情報♯１が記録されていることを認識することができる。なおディスク情報領域１１０４における最初のダミー領域のみ、他のダミー領域と記録内容が異なっていても良い。これにより繰り返し記録が開始することを明確にすることができる。
【０１１７】
なお最初のダミー領域の設定方法については、ディスク情報領域とその直前の領域との違いを認識することができれば本方法に限らなくとも良く、ディスク情報領域の直前領域のトラック形状や、トラック形状に情報を重畳する際の変調方式の違い等から、ディスク情報領域との違いを認識しても良い。
【０１１８】
なお図６Ｂに示したダミーデータはディスク情報領域６０２に対しても使用可能であり、ディスク情報領域６０１に適用した場合と同等の効果が得られる。
【０１１９】
以上の様に、各記録層に記録再生を行う際に必要となる各記録層固有のパラメータやフォーマット情報を、１つのディスク情報領域にまとめて記録しておくことにより、複数の層に配置された複数のディスク情報領域を再生する場合と比較して、複数層のデータを記録再生する際の所要時間を短縮することができる。
【０１２０】
なお本実施の形態ではディスク情報領域を中心に説明したが、欠陥リスト領域、スペア領域についても各記録層の情報をまとめて一つの層に記録しておくことにより、同様の効果が得られる。
【０１２１】
なお本実施の形態では、各記録層に記録再生を行う際に必要となる、各記録層固有のパラメータやフォーマット情報を、１つのディスク情報領域にまとめて記録しているが、１つのディスク情報領域にまとめて記録せずに複数のディスク情報領域に分けて記録しても良いし、所定の必須項目については各記録層の情報を１つのディスク情報領域にまとめ、その他の項目については自層のディスク情報領域のみに記録しても良い。
【０１２２】
なお欠陥リスト領域１０８、スペア領域１０９、データ領域１１０、欠陥リスト領域１１２、スペア領域１１３、データ領域１１４におけるトラックに、ディスク情報領域に記録されているパラメータやフォーマットを記録する際にも図６Ａと図６Ｂとに示すようなレイアウトに従って情報が記録されていても良い。
【０１２３】
次に、図９を参照して本発明のさらなる実施の形態における書き換え型光ディスク９００について説明する。
【０１２４】
図９に示す光ディスク９００は、第１の基板９０５と、第１の記録層９０４と、接着樹脂９０３と、第２の記録層９０２と、第２の基板９０１とを備える。各基板および各記録層にはクランプ穴９０６が形成されている。光ディスク９００は、ユーザデータを記録するためのデータ領域９２０を備える。データ領域９２０は第１の記録層９０４と第２の記録層９０２との両方に渡って配置されている。データ領域９２０の一部であるデータ領域９１２が第２の記録層９０２に配置されおり、データ領域９２０の一部であるデータ領域９１８が第１の記録層９０４に配置されている。
【０１２５】
第２の記録層９０２は、ディスク情報領域９０７と、第１の欠陥リスト領域９０８と、
テスト記録領域９０９と、第２の欠陥リスト領域９１０と、スペア領域９１１と、データ領域９１２とを備える。
【０１２６】
第１の記録層９０４は、ディスク情報領域９１３と、第１の欠陥リスト領域９１４と、テスト記録領域９１５と、第２の欠陥リスト領域９１６と、スペア領域９１７と、データ領域９１８とを備える。
【０１２７】
第１の記録層９０４と第２の記録層９０２とは、光ディスク９００の片面に設けられている。
【０１２８】
各記録層において第１の欠陥リスト領域と第２の欠陥リスト領域とには同じデータが記録されていることが望ましい。また全ての記録層の欠陥リスト領域に同じデータが記録されていても良い。これにより記録時や再生時にレーザ光のスポットが記録層間を移動した際に、移動先の層の欠陥リスト領域を再度再生するための時間を節約することができる。
【０１２９】
テスト記録領域９０９はデータ領域９１２に情報を記録するためのレーザ光の記録パワーを調整するためにテスト記録を行う調整領域として機能する。同様にテスト記録領域９１５はデータ領域９１８に情報を記録するためのレーザ光の記録パワーを調整するためにテスト記録を行う調整領域として機能する。本実施の形態のように各記録層毎にテスト記録領域を設けることにより、各記録層に適した記録条件を決定することができる。
【０１３０】
ところで一般に一方の層から他方の層への垂直方向のレーザ光のスポットの移動において、基板の貼り合わせのずれや、各基板のクランプ穴の位置ずれ等により同一半径位置に移動することは難しい。例えば第１の記録層９０４の内側から１０００トラック目の位置から、第２の記録層９０２の内側から１０００トラック目の位置に移動しようとしても±５０トラック程度のずれが生じる。
【０１３１】
またテスト記録領域では記録条件を決定するために、サーボ的にも不安定な記録条件でテスト記録を行うことから、記録中にトラッキングが外れたり、別の層でフォーカスが瞬間的に最適となる危険性がある。そこで各記録層のテスト記録領域の前後に隣接して使用目的を規定しないバッファ領域を設けることが望ましく、また図９に示すように欠陥リスト領域をテスト記録領域の前後に複数個設けることが望ましい。各記録層においてテスト記録領域の前後に欠陥リスト領域を設けることにより、データの記録中にトラッキングが外れても欠陥リスト領域の全データが破壊される危険性を低減することができる。また、ある記録層への情報の記録中にフォーカスが外れても、他の記録層の欠陥リスト領域の全データが破壊される危険性を低減することができる。
【０１３２】
また本実施の形態では欠陥リスト領域は各記録層の内周部にしか設けていないが、同様の観点から外周部に設けても良い。外周部に設けることによりテスト記録に起因する欠陥リスト領域のデータの破壊を防止することができる。
【０１３３】
なお各記録層固有のパラメータやフォーマット情報を一つのディスク情報領域にまとめて記録しても良いし、記録層が別々に独立してパラメータやフォーマット情報を含んでもよい。
【０１３４】
また、図１０に示すように各記録層のテスト記録領域はそれぞれ異なる半径位置に配置されても良い。光ディスク９００の改変例である図１０に示す光ディスク１０００は、第１の基板１００５と、第１の記録層１００４と、接着層１００３と、第２の記録層１００２と、第２の基板１００１とを備える。
【０１３５】
第２の基板１００１、第２の記録層１００２、接着層１００３、第１の記録層１００４、第１の基板１００５は、第２の基板９０１、第２の記録層９０２、接着層９０３、第１の記録層９０４、第１の基板９０５に対応する。第２の記録層１００２、第１の記録層１００４は、第２の記録層９０２、第１の記録層９０４と同じ構成要素を有するが、テスト記録領域の配置位置が異なる。第２の記録層１００２はテスト記録領域１００８を備える。第１の記録層１００４はテスト記録領域１００７を備える。
【０１３６】
参照符号１００９は入射光、参照符号１０１０は第２の記録層１００２からの反射光、参照符号１０１１は第２の記録層１００２の透過光、参照符号１０１２は第１の記録層１００４からの反射光、参照符号１０１３は第２の記録層１００２の透過光をそれぞれ示し、レーザ光の進行の様子を表している。第２の記録層１００２を再生しているときには、反射光１０１０が主要な再生光であり、透過光１０１３が不要な迷光である。また第１の記録層１００４を再生しているときには、透過光１０１３が主要な再生光であり、反射光１０１０が不要な迷光である。
【０１３７】
ここで、仮に、記録層１００４にデータを記録するのに最適なレーザ光の照射パワーを決定するためのテスト記録領域が領域１００６の位置に配置されていたとする。この場合、テスト記録領域１００８が（例えば繰り返し記録により）劣化もしくは破壊されていると、第２の記録層１００２での透過係数や反射係数が変化し、透過光１０１１、反射光１０１０、透過光１０１３の光量がそれぞれ変化する。これにより、テスト記録領域１００８が正常な場合と異なり、テスト記録領域１００６を用いて求められる照射パワーの値は、正しい照射パワーの値から外れてしまうという問題が生じる。
【０１３８】
図１０に示すように、テスト記録領域１００７およびテスト記録領域１００８のそれぞれを光ディスク１０００の異なる半径位置に配置することにより、テスト記録領域１００８が劣化または破壊された場合でも、第１の記録層１００４に適したレーザ光の照射パワーの値を正しく決定することができる。
【０１３９】
このように各記録層のテスト記録領域を互いに異なる半径位置に配置することは、光ディスク１０００が１回のみ記録が可能な追記型光ディスク、特に光学特性が記録により変化し、不可逆である記録膜を有する光ディスクである場合に非常に有効であり、本発明はこのような１回のみ記録が可能な光ディスクにも適用される。
【０１４０】
なお本実施の形態では、各記録層のテスト記録領域をそれぞれ異なる半径位置に配置しているが、テスト記録領域に限らず、例えば光ディスクに記録されているデータのリストを一括的に管理する領域等、繰り返し記録回数が通常のユーザデータを記録する領域よりも多くなる領域も各記録層毎に異なる半径位置に配置しても良い。異なる半径位置に配置することにより、一方の層の上記領域が劣化した場合の他層の上記領域への影響を防止することができ、他層の上記領域への正しい記録再生を行うことができる。
【０１４１】
なお本実施の形態では、２つのテスト記録領域１００７とテスト記録領域１００８とにおいて、テスト記録領域１００７の方を半径方向で外周側に配置しているが、テスト記録領域１００８の方を半径方向で外周側に配置しても良い。例えば図５Ｃに示すような記録再生方向のとき、テスト記録領域１００７を内周側から使用し、テスト記録領域１００８を外周側から使用することにしてもよい。これにより、テスト記録領域１００８を使用する際に、テスト記録領域１００７の最も外周側を使用していない確率が、逆に配置した場合よりも高くなる。これにより、テスト記録領域１００７の劣化によるテスト記録１００８への影響をさらに小さくすることができる。この効果は特に１回のみ記録が可能な光ディスクにおいて非常に大きい。
【０１４２】
なお本実施の形態ではテスト記録領域は内周側にのみ設けられているが、外周側にも設けられていても良い。
【０１４３】
本発明は、記録可能な記録層を有する光ディスクに限定されず、複数の再生専用の記録層のみを有する光ディスクにおいてもディスク情報領域を有していれば本発明により同様の効果を有する。
【０１４４】
また本実施の形態では第１の記録層と第２の記録層の二つの層に記録を行う場合について説明したが、本発明は、単層ディスクの場合に適用しても同様の効果を有する。
【０１４５】
なお本実施の形態では主に書き換え型の光ディスクについて説明したが、本発明は、１回もしくは数回だけ記録可能な光ディスクにおいても同様の効果を有する。
【図面の簡単な説明】
【０１４６】
【図１】本発明の実施の形態における光ディスクを示す図
【図２Ａ】本発明の実施の形態における記録層に形成されたトラックを示す図
【図２Ｂ】本発明の実施の形態における記録層に形成されたトラックを示す図
【図２Ｃ】本発明の実施の形態における記録層に形成されたトラックを示す図
【図２Ｄ】本発明の実施の形態における記録層に形成されたトラックを示す図
【図３】本発明の実施の形態における記録再生装置を示す図
【図４Ａ】本発明の実施の形態におけるトラックを示す図
【図４Ｂ】本発明の実施の形態におけるトラックを示す図
【図４Ｃ】本発明の実施の形態における記録再生方向を示す図
【図４Ｄ】本発明の実施の形態における記録層へのアドレス番号の割り当てを示す図
【図５Ａ】本発明の実施の形態におけるトラックを示す図
【図５Ｂ】本発明の実施の形態におけるトラックを示す図
【図５Ｃ】本発明の実施の形態における記録再生方向を示す図
【図５Ｄ】本発明の実施の形態における記録層へのアドレス番号の割り当てを示す図
【図６Ａ】ディスク情報領域の情報のレイアウトを示す図
【図６Ｂ】ディスク情報領域の情報のレイアウトを示す図
【図７】光ディスクを示す図
【図８Ａ】本発明の実施の形態における光ディスクを示す図
【図８Ｂ】本発明の実施の形態における光ディスクを示す図
【図９】本発明の実施の形態における光ディスクを示す図
【図１０】本発明の実施の形態における光ディスクを示す図
【符号の説明】
【０１４７】
１０１  第２の基板
１０２  第２の記録層
１０３  接着樹脂
１０４  第１の記録層
１０５  第１の基板
１０６  クランプ穴
１０７  ディスク情報領域
１０８  欠陥リスト領域
１０９  スペア領域
１１０  データ領域
３００  光ディスクドライブ
３０１  光ディスク
３０２  スピンドルモータ
３０３  光ヘッド
３０４  レーザ光制御回路
３０５  サーボ回路
【図１】
2006059528.tif 000003
【図２Ａ】
2006059528.tif 000004
【図２Ｂ】
2006059528.tif 000005
【図２Ｃ】
2006059528.tif 000006
【図２Ｄ】
2006059528.tif 000007
【図３】
2006059528.tif 000008
【図４Ａ】
2006059528.tif 000009
【図４Ｂ】
2006059528.tif 000010
【図４Ｃ】
2006059528.tif 000011
【図４Ｄ】
2006059528.tif 000012
【図５Ａ】
2006059528.tif 000013
【図５Ｂ】
2006059528.tif 000014
【図５Ｃ】
2006059528.tif 000015
【図５Ｄ】
2006059528.tif 000016
【図６Ａ】
2006059528.tif 000017
【図６Ｂ】
2006059528.tif 000018
【図７】
2006059528.tif 000019
【図８Ａ】
2006059528.tif 000020
【図８Ｂ】
2006059528.tif 000021
【図９】
2006059528.tif 000022
【図１０】
2006059528.tif 000023
【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
複数の記録層を有する情報記録媒体であって、
前記複数の記録層のそれぞれは、ディスク情報が格納されたディスク情報領域を含む第１の領域と、ユーザデータを記録するためのデータ領域を含む第２の領域とを有し、
前記第１の領域における第１のトラックピッチと第２の領域における第２のトラックピッチとが異なり、
前記複数の記録層のそれぞれは、前記第１の領域における第１のトラックと前記第２の領域における第２のトラックとの間にトラックピッチの変移領域を更に有する、情報記録媒体。
【請求項２】
前記変移領域は１００トラック以内である、請求項１に記載の情報記録媒体。
【請求項３】
前記第１のトラックピッチと前記第２のトラックピッチとの差が、１５％以下である、請求項１に記載の情報記録媒体。
【請求項４】
前記ディスク情報は、前記複数の記録層に関するディスク情報である、請求項１に記載の情報記録媒体。
【請求項５】
第１のトラックピッチは、第２のトラックピッチよりも広い、請求項１に記載の情報記録媒体。
【請求項６】
第１の領域は再生専用領域であり、第２の領域は記録可能な領域である、請求項１に記載の情報記録媒体。
【請求項７】
情報記録媒体に対して情報の再生および記録の少なくとも一方を行う情報処理装置であって、
前記情報記録媒体は、複数の記録層を有し、前記複数の記録層のそれぞれは、ディスク情報が格納されたディスク情報領域を含む第１の領域と、ユーザデータを記録するためのデータ領域を含む第２の領域とを有し、前記第１の領域における第１のトラックピッチと第２の領域における第２のトラックピッチとが異なり、前記複数の記録層のそれぞれは、前記第１の領域における第１のトラックと前記第２の領域における第２のトラックとの間にトラックピッチの変移領域を更に有し、
前記情報処理装置は、
前記情報記録媒体に対して前記情報の再生または記録を光学的に行うことが可能な光ヘッド部と、
前記光ヘッド部を制御する制御部と
を備え、
前記光ヘッド部の制御は、
前記ディスク情報の再生を前記光ヘッド部に指示するステップと、
前記再生されたディスク情報を取得するステップと、
前記取得されたディスク情報に基づいて、前記情報記録媒体に対して前記情報の再生または記録を行うことを前記光ヘッド部に指示するステップと
を含む、情報処理装置。
【請求項８】
情報記録媒体に対して情報の再生および記録の少なくとも一方を行う情報処理方法であって、
前記情報記録媒体は、複数の記録層を有し、前記複数の記録層のそれぞれは、ディスク情報が格納されたディスク情報領域を含む第１の領域と、ユーザデータを記録するためのデータ領域を含む第２の領域とを有し、前記第１の領域における第１のトラックピッチと第２の領域における第２のトラックピッチとが異なり、前記複数の記録層のそれぞれは、前記第１の領域における第１のトラックと前記第２の領域における第２のトラックとの間にトラックピッチの変移領域を更に有し、
前記情報処理方法は、
光ヘッドを用いて、前記情報記録媒体に対して前記情報の再生または記録を光学的に行うステップと、
制御部を用いて、前記光ヘッド部を制御するステップと
を含み、
前記光ヘッド部の制御は、
前記ディスク情報の再生を前記光ヘッド部に指示するステップと、
前記再生されたディスク情報を取得するステップと、
前記取得されたディスク情報に基づいて、前記情報記録媒体に対して前記情報の再生または記録を行うことを前記光ヘッド部に指示するステップと
を含む、情報処理方法。
【手続補正３】
【補正対象書類名】明細書
【補正対象項目名】０００１
【補正方法】変更
【補正の内容】
【０００１】
本発明は、少なくとも２層以上の記録層を備えた情報記録媒体、情報処理装置、情報処理方法に関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の情報記録媒体は、複数の記録層を有する情報記録媒体であって、前記複数の記録層のそれぞれは、ディスク情報が格納されたディスク情報領域を含む第１の領域と、ユーザデータを記録するためのデータ領域を含む第２の領域とを有し、前記第１の領域における第１のトラックピッチと第２の領域における第２のトラックピッチとが異なり、前記複数の記録層のそれぞれは、前記第１の領域における第１のトラックと前記第２の領域における第２のトラックとの間にトラックピッチの変移領域を更に有する。
前記変移領域は１００トラック以内であってもよい。
前記第１のトラックピッチと前記第２のトラックピッチとの差が、１５％以下であってもよい。
前記ディスク情報は、前記複数の記録層に関するディスク情報であってもよい。
第１のトラックピッチは、第２のトラックピッチよりも広くてもよい。
第１の領域は再生専用領域であり、第２の領域は記録可能な領域であってもよい。
本発明の情報処理装置は、情報記録媒体に対して情報の再生および記録の少なくとも一方を行う情報処理装置であって、前記情報記録媒体は、複数の記録層を有し、前記複数の記録層のそれぞれは、ディスク情報が格納されたディスク情報領域を含む第１の領域と、ユーザデータを記録するためのデータ領域を含む第２の領域とを有し、前記第１の領域における第１のトラックピッチと第２の領域における第２のトラックピッチとが異なり、前記複数の記録層のそれぞれは、前記第１の領域における第１のトラックと前記第２の領域における第２のトラックとの間にトラックピッチの変移領域を更に有し、前記情報処理装置は、前記情報記録媒体に対して前記情報の再生または記録を光学的に行うことが可能な光ヘッド部と、前記光ヘッド部を制御する制御部とを備え、前記光ヘッド部の制御は、前記ディスク情報の再生を前記光ヘッド部に指示するステップと、前記再生されたディスク情報を取得するステップと、前記取得されたディスク情報に基づいて、前記情報記録媒体に対して前記情報の再生または記録を行うことを前記光ヘッド部に指示するステップとを含む。
本発明の情報処理方法は、情報記録媒体に対して情報の再生および記録の少なくとも一方を行う情報処理方法であって、前記情報記録媒体は、複数の記録層を有し、前記複数の記録層のそれぞれは、ディスク情報が格納されたディスク情報領域を含む第１の領域と、ユーザデータを記録するためのデータ領域を含む第２の領域とを有し、前記第１の領域における第１のトラックピッチと第２の領域における第２のトラックピッチとが異なり、前記複数の記録層のそれぞれは、前記第１の領域における第１のトラックと前記第２の領域における第２のトラックとの間にトラックピッチの変移領域を更に有し、前記情報処理方法は、光ヘッドを用いて、前記情報記録媒体に対して前記情報の再生または記録を光学的に行うステップと、制御部を用いて、前記光ヘッド部を制御するステップとを含み、前記光ヘッド部の制御は、前記ディスク情報の再生を前記光ヘッド部に指示するステップと、前記再生されたディスク情報を取得するステップと、前記取得されたディスク情報に基づいて、前記情報記録媒体に対して前記情報の再生または記録を行うことを前記光ヘッド部に指示するステップとを含む。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】０１４４
【補正方法】削除
【補正の内容】